(57)【特許請求の範囲】
【請求項１】
無線通信システムであって、
第一無線信号を送受信する第一無線通信モジュールと、
第二無線信号を送受信する第二無線通信モジュールと、
第一送受信経路と第二送受信経路を、前記第一無線通信モジュールと前記第二無線通信モジュールにそれぞれ割り当てて、同時に、前記第一無線信号と前記第二無線信号の前記送受信を可能するＲＦモジュールとを含み、
前記第一送受信経路と前記第二送受信経路は、前記第一無線信号、又は、前記第二無線信号の信号インジケーターに従って割り当てられることを特徴とする無線通信システム。
【請求項２】
前記第一送受信経路と前記第二送受信経路は、前記第一無線通信モジュール、又は、前記第二無線通信モジュールの操作状態に従って割り当てられることを特徴とする請求項１に記載の無線通信システム。
【請求項３】
前記信号インジケーターは、
前記第一無線信号、又は、前記第二無線信号の受信信号強度インジケーター（ＲＳＳＩ）、
前記第一無線信号、又は、前記第二無線信号の信号対ノイズ比（ＳＮＲ）、
前記第一無線信号、又は、前記第二無線信号の干渉対信号比（ＩＳＲ）、
前記第一無線信号、又は、前記第二無線信号の隣接チャネル干渉  （ＡＣＩ）、
前記第一無線信号、又は、前記第二無線信号のパケット誤り率  （ＰＥＲ）、および前記第一無線信号、又は、前記第二無線信号のビット誤り率（ＢＥＲ）の少なくとも一つを含むことを特徴とする請求項１に記載の無線通信システム。
【請求項４】
前記第一無線信号の前記信号インジケーターがスレショルドより低い時、前記第一送受信経路は、前記第二送受信経路より経路損失が小さいことを特徴とする請求項１に記載の無線通信システム。
【請求項５】
前記第二無線信号の前記信号インジケーターがスレショルドより大きい場合、前記第一送受信経路は、前記第二送受信経路より経路損失が小さいことを特徴とする請求項１に記載の無線通信システム。
【請求項６】
前記第一無線信号の前記信号インジケーターが第一スレショルドより大きく、かつ、前記第二無線信号の前記信号インジケーターが第二スレショルドより大きい場合、前記第一送受信経路は、前記第二送受信経路より、経路損失が小さいことを特徴とする請求項１に記載の無線通信システム。
【請求項７】
前記第一無線信号の前記信号インジケーターが第一スレショルドより大きく、かつ、前記第二無線信号の前記信号インジケーターが第二スレショルド以下である場合、前記第一送受信経路は、前記第二送受信経路より、経路損失が大きいことを特徴とする請求項１に記載の無線通信システム。
【請求項８】
前記第一送受信経路と前記第二送受信経路は、無線通信システムとピア無線通信装置間の距離に従って割り当てられることを特徴とする請求項１に記載の無線通信システム。
【請求項９】
前記距離は、前記第一無線信号、又は、前記第二無線信号の信号インジケーターに従って決定されることを特徴とする請求項８に記載の無線通信システム。
【請求項１０】
前記第一無線通信モジュール、又は、前記第二無線通信モジュールは、前記ピア無線通信装置に、固定送信電力で、前記第一無線信号、又は、前記第二無線信号を伝送することを要求することを特徴とする請求項８に記載の無線通信システム。
【請求項１１】
前記ＲＦモジュールは、方向性結合器を含むことを特徴とする請求項１に記載の無線通信システム。
【発明の詳細な説明】
【技術分野】
【０００１】
本発明は、複数の無線通信モジュールの共存（ｃｏｅｘｉｓｔｅｎｃｅ）に関するものであって、特に、無線通信装置内の複数の共同設置（ｃｏ−ｌｏｃａｔｅｄ）の無線通信モジュールに用いる共存スキームのシステムとその方法に関するものである。
【背景技術】
【０００２】
現在、多数の通信機能をモバイル装置中に統合するのが趨勢となっている。図１に示されるように、携帯電話は、ＷＬＡＮモジュールにより、ワイヤレスローカルエリアネットワーク（ＷＬＡＮ）に接続され、同時に、ブルートゥースモジュールにより、ブルートゥース（ＢＴ）ハンドセット（又は、ブルートゥースカーラジオ等）と通信する。ＷＬＡＮシステムは、通常、ビル内で、有線ローカルエリアネットワーク（ＬＡＮｓ）の延伸として実行され、ＷＬＡＮは、有線ネットワークとモバイルまたは固定装置間の最後の数メートルの接続を提供することができる。ＩＥＥＥ８０２．１１規格によると、大部分のＷＬＡＮシステムは、２．４ＧＨｚのライセンスフリー周波数バンドで操作するが、ＢＴシステムからの共存干渉（ｃｏｅｘｉｓｔｅｎｃｅｉｎｔｅｒｆｅｒｅｎｃｅ）により、非常に低いスループット比を有する。図１を参照すると、ＷＬＡＮは、ケーブルによりＬＡＮに接続されるアクセスポイント（ＡＰ）により構築される。ＡＰは、通常、ＷＬＡＮと有線ネットワークインフラ間のデータを受信、バッファー、伝送する。ＡＰは、平均して２０個の装置をサポートし、障害物（壁、階段、エレベータ等）がある領域内で、ＡＰのカバー範囲は２０メートルで、視覚区分領域内で、ＡＰのカバー範囲は１００メートルである。ＢＴは、オープンワイヤレスプロトコルで、短距離の固定およびモバイル装置間でデータを交換し、パーソナルエリアネットワーク（ＰＡＮｓ）を生成する。携帯電話は、ＷｉＦｉモジュールにより、ボイスオーバーインターネットプロトコル（ＶｏＩＰ）データを受信し、更に、構築されたＰＡＮにより、ＶｏＩＰデータをＢＴハンドセットに伝送する。また逆の場合も同じである。または、携帯電話は、構築されたＰＡＮにより、デジタル音楽を伝送し、デジタル音楽は、ＢＴハンドセットで再生される。ＷＬＡＮとＢＴシステムは、共に、２．４ＧＨｚ産業科学医療（ＩＳＭ）バンドの一部分を占有し、ＩＳＭバンド内で、ＷＬＡＮとＢＴは８３ＭＨｚ幅を占有する。コストの問題及び空間的な制約のため、現行の電子機器、例えば、携帯電話、ウルトラモバイル（ＵＭＰＣｓ）等が装備するＷＬＡＮとＢＴモジュールは、マルチアンテナではなく、単一アンテナをシェアする。
【０００３】
図２に示される例のように、ＢＴシステムは、周波数ホッピングスペクトラム拡散（ＦＨＳＳ）を使用し、ブルートゥーススペクトル中、ＢＴは７９個の異なる１ＭＨｚ幅のチャネル間でホップする。ＷＬＡＮシステムキャリアは一チャネルを中心とし、チャネルは、ブルートゥーススペクトルとオーバーラップする。図１に示されるように、ＷＬＡＮモジュールとブルートゥースモジュールが、同時に、同一領域で操作する時、ＢＴ伝送が、進行中のＷＬＡＮ伝送により占有される周波数空間に入る周波数バンドで発生する場合、信号強度に基づいて、一定レベルの干渉が発生する。ＷＬＡＮモジュールとＢＴモジュールは、同一スペクトルをシェアし、単一アンテナもシェアするため、それらの間の干渉を回避することが必要とされる。
【０００４】
図３は、単一アンテナをシェアするＷＬＡＮとＢＴ通信サービス間で発生する操作衝突を示す図である。図３においてシェアされる単一アンテナは、データを送受信するために、一定の時間スロットで、ＷＬＡＮとＢＴ通信サービスで切り換えられる。ＢＴ通信サービスが、即時伝送が必要である音声データ、例えば、同期接続指向（ＳＣＯ）パケットを搭載する場合、ＢＴ通信サービスは、ＷＬＡＮ通信サービスより、高優先度を有する。この場合、ＷＬＡＮ送受信プロセスが、即時のＢＴ送受信プロセスと同時に起こる時、時間スロットがＢＴ送受信プロセスに割り当てられ、ＷＬＡＮ送受信プロセスがブロックされる。図３に示されるように、ＷＬＡＮ受信操作（Ｒｘ操作）１は時間スロットで発生し、ＢＴ通信サービスはアイドル状態である。これにより、Ｒｘ操作１は干渉を受けずに実行され、確認（ＡＣＫ）メッセージ２は、Ｒｘ操作１が完成したことを示す応答メッセージとして、ＷＬＡＮＡＰ（例えば、図１中のＡＰ）に送られる。Ｒｘ操作１の後、別のＷＬＡＮＲｘ操作３が実行される。ＢＴ通信サービスがアイドル状態なので、Ｒｘ操作３も干渉無く実行される。しかし、時間スロットが既にブルートゥース伝送操作（Ｔｘ操作）に割り当てられている時、Ｒｘ操作３に応答するＡＣＫメッセージ４はＷＬＡＮＡＰに返信できない。従って、Ｒｘ操作３は、失効したと判断される。失効に応答して、データをうまくモバイル装置のＷＬＡＮモジュールに伝送するために、ＷＬＡＮＡＰは、低いデータレートで、データフレームを再伝送する。しかし、再実行のＲｘ操作３（図中の５）は、延長された操作期間を有し、ＢＴ送受信プロセスで、さらに、オーバーラップしやすい。よって、データフレームは、先の再伝送データよりも低いデータレートでも再伝送され、ＢＴ送受信プロセスの時のオーバーラップが前より更にひどくなる。その結果、単一アンテナをシェアするＷＬＡＮとＢＴ無線通信サービスは、時分割アクセス（即ち、ＷＬＡＮとＢＴの一通信サービスだけが各時間スロットで可能）なので、ＷＬＡＮのスループットがひどく妨害される。
【発明の概要】
【発明が解決しようとする課題】
【０００５】
上述の問題を解決するため、本発明は、単一アンテナをシェアする複数の無線通信モジュールの共存の方法とシステムを提供する。
【課題を解決するための手段】
【０００６】
本発明は、無線通信システムを提供し、本システムは、第一無線通信モジュール、第二無線通信モジュール、および、ＲＦモジュールを含む。第一無線通信モジュールは第一無線信号を送受信し、第二無線通信モジュールは第二無線信号を送受信する。ＲＦモジュールは、第一送受信経路と第二送受信経路を、それぞれ、第一無線通信モジュールと第二無線通信モジュールに割り当て、第一無線信号と第二無線信号の送受信を同時にできるようにする。
【０００７】
本発明は、無線通信装置における複数の無線通信モジュールの共存方法を提供する。本方法は、第一無線通信モジュールが第一無線信号を送受信するか、および、第二無線通信モジュールが第二無線信号を送受信するかを判断する工程と、第一送受信経路と第二送受信経路を、それぞれ、第一無線通信モジュールと第二無線通信モジュールに割り当て、第一無線信号と第二無線信号の送受信を同時に出来るようにする工程、を含む。
【発明の効果】
【０００８】
本発明により提供される無線通信システムと複数の無線通信モジュールの共存方法により、送受信経路を複数の無線通信モジュールに割り当てることにより、複数の無線信号の送受信が同時に行える。
【図面の簡単な説明】
【０００９】
【図１】ＷＬＡＮモジュールにより、ワイヤレスローカルエリアネットワーク（ＷＬＡＮ）に伝送されると同時に、ブルートゥースモジュールによりブルートゥースハンドセットと通信する携帯電話を示す概要図である。
【図２】ブルートゥース周波数ホッピングを示す概要図である。
【図３】単一アンテナをシェアするＷＬＡＮとＢＴ通信サービス間で発生する操作衝突を説明するための図である。
【図４】本実施形態に係る無線通信システムのブロック図である。
【図５Ａ】本実施形態に係る減衰器を用いて実行される結合装置の概要図である。
【図５Ｂ】本実施形態に係る方向性結合器を用いて実行される結合装置の概要図である。
【図６Ａ】図５Ｂの方向性結合器を説明するための図である。
【図６Ｂ】図５Ｂの方向性結合器を説明するための図である。
【図７】本実施形態に係るＷＬＡＮモジュールとＢＴモジュールの共存方法のフローチャートである。
【図８Ａ】本実施形態に係る、即時のＢＴアプリケーションと非即時のＢＴアプリケーションスレショルドを示すグラフである。
【図８Ｂ】本実施形態に係る、ＢＴアプリケーションと非即時のＢＴアプリケーションスレショルドを示すグラフである。
【図９】本実施形態に係る、単一アンテナをシェアするグローバルポジショニングシステム（ＧＰＳ）とサブシステム間の共存システムの概要図である。
【発明を実施するための形態】
【００１０】
図４は、本実施形態に係る無線通信システムのブロック図である。システム４００は、ＷＬＡＮモジュール４１０、ＢＴモジュール４２０、ＲＦモジュール４３０、及び、アンテナ４４０を含む。ＷＬＡＮモジュール４１０は、アンテナ４４０により、ＷＬＡＮ通信（例えば、ＷｉＦｉ通信）の機能性を提供し、ＢＴモジュール４２０は、アンテナ４４０により、ＢＴ通信の機能性を提供する。特に、ＷＬＡＮモジュール４１０はＷＬＡＮ信号を送受信し、ＢＴモジュール４２０はＢＴ信号を送受信する。ＷＬＡＮモジュール４１０とＢＴモジュール４２０は、処理ユニット、例えば、汎用プロセッサやマイクロコントロールユニット（ＭＣＵ）を含み、ストレージユニットから、各無線通信プロトコルの一連のプログラムコードをロードおよび実行して、各無線通信に必要な機能を提供する。アンテナ４４０は、２．４ＧＨｚライセンスフリー周波数バンドで操作される。ＲＦモジュール４３０は、結合装置４３１と論理ユニット４３２を含む。結合装置４３１は、複数の送受信経路を有し、ＷＬＡＮモジュール４１０とＢＴモジュール４２０をアンテナ４４０に接続する。論理ユニット４３２により制御されることにより、結合装置４３１中の送受信経路を、ＷＬＡＮモジュール４１０とＢＴモジュール４２０に割り当てる。特に、論理ユニット４３２は、結合装置４３１中の第一送受信経路と第二送受信経路を、それぞれ、ＷＬＡＮモジュール４１０とＢＴモジュール４２０に割り当て、同時に、ＷＬＡＮ信号とＢＴ信号の送受信を可能にする。ＲＦモジュール４３０は、更に、マルチ機能ユニット、又は、ハードウェア素子を含み、無線信号の送受信を処理する。アンテナ４４０は、無線通信システム４００、又は、ＷＬＡＮモジュール４１０の外側に設置され、ＢＴモジュール４２０は無線通信チップセットに整合されてもよい。また本発明はこれらに限定されない。
【００１１】
結合装置４３１は３つのポート１２、１４と１６を有し、ポート１２と１４を結合して、送受信経路（直通経路）を形成し、ポート１２と１６を結合して、別の送受信経路（結合経路）を形成し、ポート１４は、ポート１６と２０ｄＢ分隔離され、ポート１２と１６間の経路を通過する電気信号は、６または１０ｄＢで減衰される。図５Ａを参照すると、結合装置４３１は、２０ｄＢで、ポート１２と１６を通過する電気信号を減衰させる減衰器を含んでもよい。また、結合装置４３１は、図５Ｂに示されるように、方向性結合器を含み、ポート１２と１４は、直通経路により連接し、ポート１６と外部ノード１８は直通経路により接続し、ポート１２と１６は結合経路により連接し、ポート１４と１６は、隔離損失２０−４０ｄＢで隔離される。直通経路は、直接、又は、間接の直通経路で、外部ノード１８は抵抗器（例えば、５０Ω抵抗器、又は、５０Ω等価端子）である。注意すべきことは、ポート１２と１４間の直通経路は経路損失が０．５ｄＢ、ポート１２と１６間の結合経路は経路損失が１０ｄＢ、又は、ポート１２と１４間の直通経路は、経路損失が１．２ｄＢ、ポート１２と１６間の結合経路は、経路損失が６ｄＢである。
【００１２】
図６Ａと図６Ｂは、図５Ｂに示される方向性結合器の例を示す図である。図６Ａを参照すると、２つの伝送線は十分に近接して設置されるので、ポート１２（入力ポートに接続される）からポート１４（伝送ポートに接続される）への電気信号（又は、エネルギー）は、ポート１６（結合ポートに接続される）に結合される。同様に、図６Ｂを参照すると、ポート１６（入力ポートに接続される）から伝送ポート（例えば、図５Ｂ中のポート１８）への電気信号（又は、エネルギー）は、ポート１２（結合ポートに結合される）に結合され、ポート１４（隔離ポートに接続される）と隔離されて、結合信号が、ポート１２と１４間を通過する電気信号に加えられる。
【００１３】
減衰器（図５Ａ）と方向性結合器（図５Ｂ）に加え、結合装置４３１は出力分配器で実行され、ポート１４と１６は隔離され、共に、理論上、経路損失が３ｄＢ（実際には、３．５ｄＢ）である。更に、結合装置４３１はパワースプリッターで構成される。パワースプリッターの構造は出力分配器と類似しているが、出力ポート間の経路損失が異なる。パワースプリッターにとって、ポート１４と１６の経路損失は異なる。例えば、ポート１６は経路損失が１０ｄＢで、ポート１４は経路損失が０．５ｄＢ、又は、ポート１６は経路損失が６ｄＢで、ポート１４は経路損失が１ｄＢである。パワースプリッターのカップリング値に対し、以下の表１を参考にする
【表１】
0005467158.tif 000002
【００１４】
３ｄＢのカップリング値（３ｄＢ方向性結合器）を例とすると、直通経路は経路損失が３ｄＢで、結合経路も経路損失が３ｄＢである。６ｄＢ方向性結合器にとって、直通経路は経路損失が１ｄＢ、結合経路も経路損失が６ｄＢである。１０ｄＢ方向性結合器にとって、直通経路は経路損失が０．５ｄＢ、結合経路も経路損失が１０ｄＢである。更に、結合装置４３１は、入力ポートと２個の出力ポートを有するＰＣＢパッドにより構成され、設計要求に基づいて、出力ポートの一つは、経路損失がＮｄＢで、別の出力ポートは、１ｄＢより小さい経路損失を有する。注意すべきことは、パワースプリッターは、例えば、図５Ｂに示されるような方向性結合器を用いて構成され、ポート１８が抵抗器に接続されて、インピーダンスを整合し、且つ、ポート１４とポート１６が隔離される。図５Ｂに示される方向性結合器を用いて構成されるパワースプリッターは、ポート１６の経路損失が１０ｄＢ、ポート１４の経路損失が０．５ｄＢ、又は、ポート１６の経路損失が６ｄＢ、ポート１４の経路損失が１ｄＢである。
【００１５】
結合装置４３１中の送受信経路は、異なる経路損失を有し、ＷＬＡＮモジュール４１０とＢＴモジュール４２０への送受信経路の割り当ては、ＷＬＡＮモジュール４１０、及び／又は、ＢＴモジュール４２０の操作状態に従って、論理ユニット４３２により決定される。表２は、本発明実施形態に係る結合装置４３１中の送受信経路の割り当ての例を示す。
【表２】
0005467158.tif 000003
【００１６】
上の表２中、“ＯＮ”は、ＷＬＡＮモジュール４１０、又は、ＢＴモジュール４２０が起動状態にあることを示し（即ち、ＷＬＡＮ機能、又は、ＢＴ機能がオン）、および、“ＯＦＦ”は、ＷＬＡＮモジュール４１０、又は、ＢＴモジュール４２０が停止状態にあることを示す（即ち、ＷＬＡＮ機能、又は、ＢＴ機能がオフ）。“ＮＵＬＬ”は、ＷＬＡＮモジュール４１０とＢＴモジュール４２０両方が、無線信号の送受信を実行しないので、送受信経路の割り当てが必要ないことを意味する。注意すべきことは、ＷＬＡＮモジュール４１０、又は、ＢＴモジュール４２０のいずれか一方だけが無線信号の送受信を実行する場合、経路損失が低い直通経路が、ＷＬＡＮモジュール４１０、又は、ＢＴモジュール４２０に割り当てられることである。注意すべきことは、ＷＬＡＮモジュール４１０とＢＴモジュール４２０が同時に起動状態である場合、論理ユニット４３２は、ＷＬＡＮとＢＴ信号の信号インジケーターの検査が必要である。送受信経路の割り当てに関し、以下の図７のフローチャートを参照して説明する。
【００１７】
図７は、本実施形態に係るＷＬＡＮモジュール４１０とＢＴモジュール４２０の共存方法のフローチャートである。本例では、まず、ＷＬＡＮモジュール４１０、及び／又は、ＢＴモジュール４２０の操作状態を調査して、ＷＬＡＮ機能がオン／オフ、及び／又は、ＢＴ機能がオン／オフになるかを判断する（ステップＳ７０１）。ＷＬＡＮ機能、又は、ＢＴ機能がオンになるかに関する情報に加え、操作状態は、ＷＬＡＮ／ブルートゥースが、リアルタイムアプリケーション、又は、非リアルタイムアプリケーションのデータを搭載するかに関する情報を含む。次に、論理ユニット４３２は、更に、ＷＬＡＮ信号、及び／又は、ＢＴ信号の信号インジケーターを判断する、又は、別のモジュール、例えば、図４に示されない追加のプロセッサから、ＷＬＡＮ信号、及び／又は、ＢＴ信号の信号インジケーターを受信する（ステップＳ７０２）。信号インジケーターは、ＷＬＡＮ信号、及び／又は、ＢＴ信号の受信信号強度インジケーター（ＲＳＳＩ）、信号に対するノイズ比（ＳＮＲ）、干渉に対する信号比（ＩＳＲ）、隣接チャネル干渉（ＡＣＩ）、パケット誤り率（ＰＥＲ）、又は、ビット誤り率（ＢＥＲ）である。或いは、信号インジケーターは、ＷＬＡＮ信号、及び／又は、ＢＴ信号のＲＳＳＩ，ＳＮＲ，ＩＳＲ，ＡＣＩ，ＰＥＲおよびＢＥＲの一つ以上を含む。本例において、ＲＳＳＩは、ＷＬＡＮとＢＴ信号の信号インジケーターになる。論理ユニット４３２は、更に、ＷＬＡＮモジュール４１０とＢＴモジュール４２０の操作状態に従って、一組のスレショルドを選択して、ＷＬＡＮ信号とＢＴ信号がよい状態にあるか判断する（ステップＳ７０３）。なおスレショルドは調整可能である。特に、一組のスレショルドがリアルタイムアプリケーションのＢＴ信号に選択され、別の組のスレショルドが非リアルタイムアプリケーションのＢＴ信号に選択される。リアルタイムアプリケーションは、例えば、ＳＣＯとＡ２ＤＰアプリケーションを含む。図８Ａと図８Ｂは、本実施形態に係る、リアルタイムＢＴアプリケーションと非リアルタイムＢＴアプリケーションのスレショルドを示す図である。図８Ａと図８Ｂに示されるように、各組のスレショルドは、信号品質基準として用いられる１個のＢＴスレショルドと２個のＷＬＡＮスレショルドを含み、Ｔ１とＴ１’はＢＴスレショルドを示し、Ｔ２，Ｔ２’およびＴ３，Ｔ３’は、第一ＷＬＡＮスレショルドと第二ＷＬＡＮスレショルドをそれぞれ示す。注意すべきことは、図８Ａは、リアルタイムアプリケーションのＢＴ信号を例とし、図８Ｂは、非リアルタイムアプリケーションのＢＴ信号を例とし、図８Ａと８Ｂ両者は、ＲＳＳＩに関するスレショルドを示し、ＷＬＡＮとＢＴ信号の信号インジケーターとなる。しかし、別の信号品質インジケーター、例えば、ＷＬＡＮとＢＴ信号のＳＮＲ、ＩＳＲ、ＡＣＩ、ＰＥＲ、及び、ＢＥＲも、各信号品質インジケーターの異なる要求に基づき、一組のスレショルドの選択に用いられる。
【００１８】
その後、論理ユニット４３２は、ＢＴ信号のＲＳＳＩが、選択された組のスレショルド中のＢＴスレショルドより大きいか確認することにより、ＢＴ信号の信号品質を判断する（ステップＳ７０４）。つまり、選択された組のスレショルドが図８Ａに示される一組のスレショルドである場合、論理ユニット４３２はＢＴ信号のＲＳＳＩとＴ１を比較し、選択された組のスレショルドが図８Ｂに示される一組のスレショルドの場合、論理ユニット４３２は、ＢＴ信号のＲＳＳＩとＴ１’を比較する。ステップＳ７０４の条件を満たす場合には、論理ユニット４３２は、ＷＬＡＮ信号のＲＳＳＩが、選択された組のスレショルド中の第一ＷＬＡＮスレショルドより大きいかを確認することにより、ＷＬＡＮ信号の信号品質を判断する（ステップＳ７０５）。つまり、選択された組のスレショルドが、図８Ａに示される一組のスレショルドである場合、論理ユニット４３２は、ＷＬＡＮ信号のＲＳＳＩとＴ２を比較する。選択された組のスレショルドが、図８Ｂに示される一組のスレショルドである場合、論理ユニット４３２は、ＷＬＡＮ信号のＲＳＳＩとＴ２’を比較する。ＷＬＡＮ信号のＲＳＳＩが、選択された組のスレショルド中の第一ＷＬＡＮスレショルドより大きい場合、論理ユニット４３２は、直通経路と結合経路を、それぞれ、ＢＴモジュール４２０とＷＬＡＮモジュール４１０に割り当てる（ステップＳ７０６）。そうでなければ、論理ユニット４３２は、直通経路と結合経路を、ＷＬＡＮモジュール４１０とＢＴモジュール４２０にそれぞれ割り当てる（ステップＳ７０７）。ステップＳ７０４の条件を満たさない場合には、論理ユニット４３２は、ＷＬＡＮ信号のＲＳＳＩが選択された組のスレショルド中の第２ＷＬＡＮスレショルドより大きいか確認することにより、ＷＬＡＮ信号の信号品質を判断する（ステップＳ７０８）。つまり、選択された組のスレショルドが、図８Ａに示される一組のスレショルドである場合、論理ユニット４３２は、ＷＬＡＮ信号のＲＳＳＩとＴ３を比較し、選択された組のスレショルドが、図８Ｂに示される一組のスレショルドである場合、論理ユニット４３２は、ＷＬＡＮ信号のＲＳＳＩとＴ３’を比較する。ＷＬＡＮ信号のＲＳＳＩが、選択された組のスレショルド中の第２ＷＬＡＮスレショルドより大きい場合、論理ユニット４３２は、直通経路と結合経路を、それぞれ、ＢＴモジュール４２０とＷＬＡＮモジュール４１０に割り当てる（ステップＳ７０９）。そうでなければ、論理ユニット４３２は、更に、ＷＬＡＮモジュール４１０とＢＴモジュール４２０間の調整により、直通経路と結合経路を、ＢＴモジュール４２０とＷＬＡＮモジュール４１０にそれぞれ割り当てる（ステップＳ７１０）。
【００１９】
ステップＳ７１０において、両ＷＬＡＮ信号とＢＴ信号の信号品質が悪く（即ち、ＲＳＳＩが各スレショルドより低い）、共存干渉に耐えられないため、ＷＬＡＮモジュール４１０とＢＴモジュール４２０間の更なる調整が必要である。更に明確には、論理ユニット４３２は、ＷＬＡＮモジュール４１０とＢＴモジュール４２０の次の期間の潜在的なＴｘ／Ｒｘ操作を収集し、コリジョンが次の期間で発生する場合、ＷＬＡＮモジュール４１０とＢＴモジュール４２０のどれかにアンテナ４４０を使用して解決する。ＷＬＡＮモジュール４１０がアンテナ４４０の使用権を獲得する場合には、ＢＴモジュール４２０のＴｘ／Ｒｘ操作が停止の間に、ＷＬＡＮモジュール４１０のＴｘ／Ｒｘ操作が実行される。ＢＴモジュール４２０がアンテナ４４０の使用権を獲得する場合には、ＷＬＡＮモジュール４１０のＴｘ／Ｒｘ操作が停止の間に、ＢＴモジュール４２０のＴｘ／Ｒｘ操作が実行される。従って、共存干渉が回避され、ＷＬＡＮとＢＴ信号の信号品質が保証される。本発明の思想を離脱しない範囲内で、図４の構造と図７の制御流れに従って修正することにより、ＢＴモジュールとＷｉＭＡＸ／ＬＴＥモジュールの共存方法、又は、ＷＬＡＮモジュールとＷｉＭＡＸ／ＬＴＥモジュールの共存方法の他の例が行われてもよい。
【００２０】
注意すべきことは、無線通信システム４００がＢＴモジュール４２０により通信するピアＢＴ装置が、動的にその送信電力を変化させ、無線通信システム４００で受信されたＢＴ信号の信号インジケーターの変動が発生することである。これは、更に、ＷＬＡＮモジュール４１０とＢＴモジュール４２０を割り当てる送受信経路を変化させ、この種の変化が頻繁に発生すると、システムパフォーマンスを逓減させてしまう。受信されたＢＴ信号の信号インジケーターに変化が頻繁に起こるのを回避するため、さらにＢＴモジュール４２０は、ピアＢＴ装置に対して、ＢＴ信号の伝送に用いる固定送信電力の維持を要求する。この他、送受信経路の割り当てに対し、ピアＢＴ装置、又は、ＷＬＡＮＡＰと無線通信システム４００との間の距離を考慮する。例えば、ピアＢＴ装置と無線通信システム４００間の距離が遠い場合、論理ユニット４３２は、直通経路をＢＴモジュール４２０に割り当て、ＢＴ信号の損失を最小化する。また、ピアＢＴ装置と無線通信システム４００間の距離は近く、ＷＬＡＮＡＰと無線通信システム４００間の距離が遠い場合、論理ユニット４３２は、直通経路をＷＬＡＮモジュール４１０に割り当て、ＷＬＡＮ信号の損失を最小化する。ピアＢＴ装置、又は、ＷＬＡＮＡＰと、無線通信システム４００との間の距離は、ＷＬＡＮ信号、又は、ＢＴ信号の信号インジケーターに従って決定される。例えば、高ＲＳＳＩのＢＴ信号は、ピアＢＴ装置が無線通信システム４００に近いことを示し、低ＲＳＳＩのＢＴ信号は、ピアＢＴ装置が無線通信システム４００から離れていることを示す。
【００２１】
本例は、ＷＬＡＮとＢＴ無線通信サービスを用いているが、別の無線通信サービス、例えば、グローバルポジショニングシステム（ＧＰＳ）通信サービスを用いてもよい。図９は、単一アンテナを共有するグローバルポジショニングシステム（ＧＰＳ）とサブシステムの共存システムの例を示すブロック図で、サブシステムは、アンテナ４４０を除く無線通信システム４００である。システム９００は、アンテナ４４０、ダイプレクサー９１０、ＧＰＳモジュール９２０、および、サブシステム９３０を含む。３端子２２、２４および２６から構成されるダイプレクサー９１０は、端子２２を同時に、端子２４と２６に接続するので、ＧＰＳ信号は、ダイプレクサー９１０により、シェアされたアンテナ４４０から受信され、サブシステム９３０の無線信号（ＴｘまたはＲｘ信号）は、ダイプレクサー９１０により、同時に、シェアされたアンテナ４４０に送信し、あるいは、シェアされたアンテナ４４０から受信する。
【００２２】
上述の３つの異なる最適化の方法は、異なる複雑性と性能を有する。１６のコード要素を有するコードブックが用いられる場合、Ｖｉは、ＭＳによって１６のコード要素からサーチされ、その受信された信号電力を最大にする。複雑性の観点から見ると、個別最適化の方法と段階的最適化の方法は、１６×３＝４８のサーチを必要とし、共同最適化の方法は、１６×１６×１６＝４０９６のサーチを必要とする。しかしながら、性能の観点から見ると、共同最適化は、最良の最適化の結果を作り出す。
【００２３】
本発明では好ましい実施例を前述の通り開示したが、これらは決して本発明に限定するものではなく、当該技術を熟知する者なら誰でも、本発明の思想と開示内容を脱しない範囲内で各種の変形や改良を加えることができ、従って本発明の保護範囲は、特許請求の範囲で指定した内容を基準とする。
【符号の説明】
【００２４】
１…ＷＬＡＮ受信操作（Ｒｘ操作）
２…確認（ＡＣＫ）メッセージ
３…別のＷＬＡＮＲｘ操作
４…Ｒｘ操作３に応答するＡＣＫメッセージ
５…再実行のＲｘ操作３
４００、９００…通信システム
４１０…ＷＬＡＮモジュール
４２０…ＢＴモジュール
４３０…ＲＦモジュール
４３１…結合装置
４３２…論理ユニット
４４０…アンテナ
１２、１４、１６…ポート
１８…外部ノード
９１０…ダイプレクサー
９２０…ＧＰＳモジュール
９３０…サブシステム
２２、２４、２６…端子
【図１】
0005467158.tif 000004
【図２】
0005467158.tif 000005
【図３】
0005467158.tif 000006
【図４】
0005467158.tif 000007
【図５Ａ】
0005467158.tif 000008
【図５Ｂ】
0005467158.tif 000009
【図６Ａ】
0005467158.tif 000010
【図６Ｂ】
0005467158.tif 000011
【図７】
0005467158.tif 000012
【図８Ａ】
0005467158.tif 000013
【図８Ｂ】
0005467158.tif 000014
【図９】
0005467158.tif 000015